(57)【要約】【課題】発電量の低下を抑制する振動発電機を提供する。【解決手段】振動発電機１は、軸線Ｏ方向に延びる第一筒状部材１１を備えている。第一筒状部材１１の軸線Ｏ方向中央部には、コイル２１が巻回されている。第一筒状部材１１の内側には、軸線Ｏ方向に沿って延びる軸部３０が設けられている。軸部３０には、気体移動部３１が設けられている。気体移動部３１は、第一孔部３１１と複数の第二孔部３１２，３１３とを含む。第一孔部３１１は、軸部３０の内部を軸線Ｏ方向に沿って延びる。第二孔部３１２，３１３は、軸部３０の外周側面から第一孔部３１１に向かって軸部３０を貫通する。第二孔部３１２，３１３は、軸部３０における軸線Ｏ方向の両端部に設けられている。第一筒状部材１１の内側における軸部３０の周囲には、コイル２１の内側を往復移動可能な永久磁石１４が設けられている。【選択図】図１
2013051859.tif 000002
【特許請求の範囲】
【請求項１】
巻回されたコイルと、
前記コイルの軸線方向に沿って延び、前記コイルに挿通された筒状の第一筒状部材と、
前記第一筒状部材の内側を、前記軸線方向に沿って延びる軸部と、
前記第一筒状部材の内側において前記軸部の周囲に設けられ、前記軸部に沿って前記コイルの内側を往復移動可能な永久磁石と、
前記軸部に設けられ、前記第一筒状部材内部の気体が前記軸線方向に沿って移動可能な気体移動部と
を備えたことを特徴とする振動発電機。
【請求項２】
前記気体移動部は、
前記軸部の内部を前記軸線方向に沿って延びる第一孔部と、
前記軸部の側面から前記第一孔部に向かって前記軸部を貫通する複数の孔部であって、前記軸線方向において前記コイルの両端より外側の位置にそれぞれ設けられた第二孔部と
を備えたことを特徴とする請求項１に記載の振動発電機。
【請求項３】
前記第二孔部は、前記軸部における前記軸線方向の両端部に設けられたことを特徴とする請求項２に記載の振動発電機。
【請求項４】
前記軸線方向において前記永久磁石に対向してそれぞれ設けられ、前記軸線方向において一方側の前記第二孔部と反対側の第二孔部との間の前記軸部の周囲に設けられた２つの筒状部材であって、前記軸部の外周面と前記第一筒状部材の内周面との間に亘って設けられた第二筒状部材と、
前記第二筒状部材における前記軸部と離間した部位を前記軸線方向に沿って貫通する貫通部と
を備えたことを特徴とする請求項２又は３に記載の振動発電機。
【請求項５】
前記気体移動部は、前記軸部を前記軸線方向に沿って延び、前記永久磁石の内側の面から離れる方向に前記軸部が切り欠かれた切欠部を備えていることを特徴とする請求項１から４のいずれかに記載の振動発電機。
【発明の詳細な説明】
【技術分野】
【０００１】
本発明は、振動によって発電する振動発電機に関する。
【背景技術】
【０００２】
従来、振動による運動エネルギーを電気エネルギーに変換する振動発電機が知られている。例えば、特許文献１に記載の発電装置では、筐体の内側の空間部にコイルが設けられている。永久磁石は、コイルの内側を挿通できる外径で円柱状に形成されている。ガイド部材は、棒状に形成され、軸心を筐体の空間部の軸心に合致させて、空間部の両端の端面間に亘って設けられている。ガイド部材は、永久磁石に設けられた中心孔に挿通されている。永久磁石がガイド部材に沿って空間部の長手方向に往復移動することで、発電が行われる。この発電装置のように、棒状のガイド部材に沿って永久磁石が移動するように発電装置を構成すると、永久磁石の移動が安定するため、発電を安定して行うことができる。
【先行技術文献】
【特許文献】
【０００３】
【特許文献１】特開２００５−９４８３２号公報
【発明の概要】
【発明が解決しようとする課題】
【０００４】
しかしながら、上記従来の装置では、永久磁石が移動する場合の空気抵抗によって、永久磁石の移動速度が遅くなる。このため、発電量が低下するという問題点があった。
【０００５】
本発明の目的は、発電量の低下を抑制する振動発電機を提供することである。
【課題を解決するための手段】
【０００６】
本発明に係る振動発電機は、巻回されたコイルと、前記コイルの軸線方向に沿って延び、前記コイルに挿通された筒状の第一筒状部材と、前記第一筒状部材の内側を、前記軸線方向に沿って延びる軸部と、前記第一筒状部材の内側において前記軸部の周囲に設けられ、前記軸部に沿って前記コイルの内側を往復移動可能な永久磁石と、前記軸部に設けられ、前記第一筒状部材内部の気体が前記軸線方向に沿って移動可能な気体移動部とを備えている。この場合、永久磁石が第一筒状部材の内側を軸線方向に沿って移動する場合に、永久磁石に押された気体が、気体移動部を通って永久磁石の進行方向とは反対側に移動する。このため、永久磁石に対する気体の抵抗（例えば、空気抵抗）を低減することができ、永久磁石の速度の低下を抑制することができる。よって、発電量の低下を抑制することができる。
【０００７】
前記振動発電機において、前記気体移動部は、前記軸部の内部を前記軸線方向に沿って延びる第一孔部と、前記軸部の側面から前記第一孔部に向かって前記軸部を貫通する複数の孔部であって、前記軸線方向において前記コイルの両端より外側の位置にそれぞれ設けられた第二孔部とを備えてもよい。この場合において、永久磁石が第一筒状部材の内部を軸線方向に沿って移動する場合、永久磁石の進行方向側の気体は、永久磁石に押される。このため、気体は、永久磁石の進行方向側の第二孔部、第一孔部、永久磁石の進行方向の反対側の第二孔部を介して、永久磁石の進行方向の反対側に移動する。このため、永久磁石に対する気体の抵抗を低減することができ、永久磁石の速度の低下を抑制することができる。よって、発電量の低下を抑制することができる。
【０００８】
前記振動発電機において、前記第二孔部は、前記軸部における前記軸線方向の両端部に設けられてもよい。この場合、移動する永久磁石に押されて、永久磁石の進行方向の反対側の第二孔部から排出される気体が、永久磁石を進行方向に向けて押す。このため、永久磁石の速度が大きくなる。よって、発電量が増加する。
【０００９】
前記振動発電機は、前記軸線方向において前記永久磁石に対向してそれぞれ設けられ、前記軸線方向において一方側の前記第二孔部と反対側の第二孔部との間の前記軸部の周囲に設けられた２つの筒状部材であって、前記軸部の外周面と前記第一筒状部材の内周面との間に亘って設けられた第二筒状部材と、前記第二筒状部材における前記軸部と離間した部位を前記軸線方向に沿って貫通する貫通部とを備えてもよい。この場合、移動する永久磁石に押された気体は、永久磁石の進行方向の貫通部と第二孔部、第一孔部、及び進行方向の反対側の第二孔部と貫通部を介して、永久磁石の進行方向の反対側の空間に移動する。このため、気体の抵抗を低減することができる。よって、永久磁石の速度の低下を抑制することができ、発電量の低下を抑制することができる。また、貫通部は、第二筒状部材における前記軸部と離間した部位に設けられているので、例えば、軸部の側面に軸部と永久磁石との摩擦抵抗を小さくするための潤滑剤が塗布されている場合に、潤滑剤が貫通部を塞ぐことはない。よって、潤滑剤が貫通部を塞いで、移動する永久磁石に対する気体の抵抗が増大することを防止できる。よって、気体の抵抗が増大して永久磁石の速度が小さくなって発電量が低下することを防止できる。
【００１０】
前記振動発電機において、前記気体移動部は、前記軸部を前記軸線方向に沿って延び、前記永久磁石の内側の面から離れる方向に前記軸部が切り欠かれた切欠部を備えてもよい。この場合、永久磁石が第一筒状部材の内部を軸線方向に沿って移動する場合に、永久磁石に押された気体が、切欠部を通って永久磁石の進行方向とは反対側に移動する。このため、永久磁石に対する気体の抵抗を低減することができ、永久磁石の速度の低下を抑制することができる。よって、発電量の低下を抑制することができる。
【図面の簡単な説明】
【００１１】
【図１】第一実施形態に係る振動発電機１の断面図である。
【図２】第二実施形態に係る振動発電機１の断面図である。
【図３】第三実施形態に係る振動発電機１の断面図である。
【図４】図３に示す第三実施形態に係る軸部３０と可動子１３との径方向の断面図である。
【図５】第三実施形態の第一の変形例に係る軸部３０と可動子１３との径方向の断面図である。
【図６】第三実施形態の第二の変形例に係る軸部３０と可動子１３との径方向の断面図である。
【図７】第三実施形態の第三の変形例に係る軸部３０と可動子１３との径方向の断面図である。
【発明を実施するための形態】
【００１２】
以下、本発明の第一実施形態について、図面を参照して説明する。図１を参照し、振動発電機１について説明する。以下の説明では、図１の紙面上側、下側、左側、右側をそれぞれ、振動発電機１の上側、下側、左側、右側と定義して説明する。
【００１３】
図１に示すように、振動発電機１は、軸線Ｏ方向（上下方向）に沿って延びる円筒形の筐体１７を備えている。筐体１７の軸線Ｏ方向の両端は開口している。筐体１７の軸線Ｏ方向の上端の開口部分には、開口部分を覆う壁部１８１が設けられ、下端の開口部分には、開口部分を覆う壁部１８２が設けられている。壁部１８１，１８２は、可動子１３（後述）の上下方向の移動を規制する。筐体１７及び壁部１８１，１８２は、例えば、樹脂（アクリル樹脂）等の非磁性体材料で形成されている。
【００１４】
筐体１７と壁部１８１，１８２とで囲まれた空間には、軸線Ｏ方向に沿って巻回されたコイル２１が設けられている。コイル２１は、例えば、銅で形成されている。コイル２１の内側には、軸線Ｏ方向に沿って延び、コイル２１に挿通された円筒形の第一筒状部材１１が設けられている。つまり、コイル２１は、第一筒状部材１１の軸線Ｏ方向中央部の周囲に巻回されている。第一筒状部材１１における軸線Ｏ方向の両端は、壁部１８１，１８２と接触している。第一筒状部材１１の軸線Ｏ方向の両端は開口しており、この開口が壁部１８１，１８２によって覆われている。第一筒状部材１１は、例えば、樹脂（アクリル樹脂）等の非磁性体材料で形成されている。なお、筐体１７及び第一筒状部材１１の材料は、非磁性体であれば、銅、アルミニウム、真鍮等の金属であってもよい。また、筐体１７は鉄やステンレス等の磁性体材料でも構わない。
【００１５】
第一筒状部材１１の内側における径方向の中心部には、軸線Ｏ方向に沿って延びる軸部３０が設けられている。軸部３０の両端は、壁部１８１，１８２と接触している。軸部３０は、可動子１３（後述）の軸線Ｏ方向への移動を案内する。
【００１６】
軸部３０には、第一筒状部材１１の内部の気体が軸線Ｏ方向に沿って移動可能な気体移動部３１が設けられている。本実施形態では一例として、第一筒状部材１１の内部の気体は、空気であるとする。気体移動部３１は、第一孔部３１１と、複数の第二孔部３１２，３１３とを含む。
【００１７】
第一孔部３１１は、軸部３０の内部を軸線Ｏ方向に沿って延びる。第一孔部３１１が設けられることによって、軸部３０は円筒形に形成されている。第二孔部３１２，３１３は、軸部３０の外周側面から第一孔部３１１に向かって軸部３０を貫通する複数の孔部であって、軸線Ｏ方向においてコイル２１の両端より外側の位置にそれぞれ設けられている。より詳細には、第二孔部３１２，３１３は、軸部３０における軸線Ｏ方向の両端部に設けられている。第二孔部３１２は、軸部３０の上端部の左右に１つずつ、合計２つ設けられている。第二孔部３１３は、軸部３０の下端部の左右に１つずつ、合計２つ設けられている。第一筒状部材１１の内部の空気が気体移動部３１を移動する態様については、後述する。
【００１８】
第一筒状部材１１の内側には、１つの円柱状の永久磁石１４で構成された可動子１３が収納されている。永久磁石１４には、径方向の中心を軸線Ｏ方向に貫通する孔部１４１が設けられており、孔部１４１には、軸部３０が挿通されている。つまり、永久磁石１４は、第一筒状部材１１の内側において軸部３０の周囲に設けられている。永久磁石１４の外径は、第一筒状部材１１の内径と比較して僅かに小さい。永久磁石１４は、軸線Ｏ方向に磁化されており、永久磁石１４の上端部がＮ極、下端部がＳ極である。永久磁石１４は、軸部３０に案内されつつ、第一筒状部材１１の内側を軸線Ｏ方向に往復移動可能である。なお、永久磁石１４の形状は円柱形に限定されないが、第一筒状部材１１内と同一の断面形状を有していることが望ましい。
【００１９】
振動発電機１の動作について説明する。ユーザは、筐体１７が軸線Ｏ方向に振動するように、振動発電機１を振動させる。これによって、運動エネルギーが、筐体１７に加えられる。可動子１３と軸部３０との摩擦力などを介して、運動エネルギーが可動子１３に伝達される。可動子１３は、第一筒状部材１１内を軸線Ｏ方向に往復移動する。可動子１３は、コイル２１に覆われた空間を出入りする。コイル２１内の空間を通過する際、可動子１３の永久磁石１４が発する磁束が、コイル２１を直交する。これによって、コイル２１に誘導電流が発生する。可動子１３がコイル２１内の空間への出入りを繰り返すことで、コイル２１に交流電流が発生する。
【００２０】
コイル２１に発生した交流電流は、コイル２１の両端に接続された配線を介して、図示外の整流部に伝達される。整流部では、交流電流の全波整流が行われ、図示外の蓄電部（例えば、コンデンサ）に蓄電される。蓄電された電流は、図示外の電極を介して外部に出力される。外部に出力された電流は、外部装置の負荷に供給される。外部装置は、供給された電流によって駆動する。
【００２１】
以上のように、本実施形態に係る振動発電機１が構成され、発電が行われる。本実施形態では、永久磁石１４（可動子１３）が第一筒状部材１１の内側を軸線Ｏ方向に沿って移動する場合、永久磁石１４に押される空気は、気体移動部３１を通って、永久磁石１４の進行方向とは反対側に移動する。例えば、永久磁石１４が軸線Ｏ方向の下側に移動する場合、図１に示すように、矢印４０の方向に空気が流れる。すなわち、永久磁石１４に押された空気は、永久磁石１４の進行方向側（下側）の第二孔部３１３を介して第一孔部３１１に移動する。第一孔部３１１に移動した空気は、軸線Ｏ方向上側に移動し、永久磁石１４の進行方向の反対側（上側）の第二孔部３１２を介して、永久磁石１４の進行方向の反対側（上側）に移動する。また、永久磁石１４が軸線Ｏ方向の上側に移動する場合には、矢印４０の反対方向に空気が流れる。このように、永久磁石１４の移動に伴って、空気が移動するので、永久磁石１４に対する空気抵抗を低減することができる。このため、永久磁石１４の速度の低下を抑制することができる。よって、発電量の低下を抑制することができる。
【００２２】
また、第二孔部３１２，３１３は、軸部３０における軸線Ｏ方向の両端部に設けられている。このため、移動する永久磁石１４（可動子１３）に押されて、永久磁石１４の進行方向の反対側の第二孔部３１２，３１３から排出される空気が、永久磁石１４を進行方向に向けて押す。例えば、永久磁石１４が下方向に移動する場合、上側の第二孔部３１２から排出される空気が、永久磁石１４を下方向に向けて押す。このため、永久磁石１４の速度が大きくなる。よって、発電量が増加する。
【００２３】
また、本実施形態では、移動する永久磁石１４に対する空気抵抗を低減できるので、例えば、永久磁石１４の外周面と、第一筒状部材１１の内周面との間に隙間を設けることで空気の通り道を確保して、空気抵抗を低減する必要がない。このため、永久磁石１４の外周面を第一筒状部材１１の内周面に近づけることができる。すなわち、永久磁石１４を、第一筒状部材１１に巻回されているコイル２１に近づけることができる。よって、永久磁石１４からコイル２１に届く磁束密度が大きくなり、発電効率が向上する。
【００２４】
次に、図２を参照して、本発明に係る振動発電機１の第二実施形態について説明する。図２では、前述の実施形態と同様の構成は、同じ符号で示し、詳細な説明は省略する（後述する図３〜図７も同様である）。
【００２５】
第二実施形態における振動発電機１では、第二孔部３１２，３１３は、軸部３０の両端部において、壁部１８１，１８２に接触して設けられている。振動発電機１は、軸線Ｏ方向において永久磁石１４にそれぞれ対向して設けられ、軸線Ｏ方向において一方側の第二孔部３１２と反対側の第二孔部３１３との間の軸部３０の周囲に設けられた第二筒状部材３５，３６を備えている。より詳細には、第二筒状部材３５は、軸線Ｏ方向において、第二孔部３１２の下側に設けられている。第二筒状部材３６は、軸線Ｏ方向において、第二孔部３１３の上側に設けられている。第二筒状部材３５，３６は、軸部３０の外周面と第一筒状部材１１の内周面との間に亘って設けられている。第二筒状部材３５，３６は、永久磁石１４（可動子１３）の軸線Ｏ方向への移動を規制する。
【００２６】
第二筒状部材３５は、第二筒状部材３５における軸部３０と離間した部位を軸線Ｏ方向に沿って貫通する２つの貫通部３５１を備えている。同様に、第二筒状部材３６は、第二筒状部材３６における軸部３０と離間した部位を軸線Ｏ方向に沿って貫通する２つの貫通部３６１を備えている。本実施形態では、貫通部３５１、３６１は、それぞれ第二筒状部材３５，３６における外周面と内周面との間の中央部に設けられた孔である。
【００２７】
第二筒状部材３５と壁部１８１との間には、支持部材３７が設けられている。支持部材３７は、第二筒状部材３５と壁部１８１とに接続され、第二筒状部材３５を支持する。支持部材３７は、円筒形状である。支持部材３７の外周面は、第一筒状部材１１の内周面に接触している。支持部材３７の内周面は、径方向において、貫通部３５１が設けられている位置より外側に位置している。このため、壁部１８１、支持部材３７、第二筒状部材３５、軸部３０、及び第二孔部３１２に囲まれた空間５０は、貫通部３５１と繋がっている。このため、第一筒状部材１１の内部の空気は、空間５０を介して貫通部３５１と第二孔部３１２との間を流れることができる。
【００２８】
同様に、第二筒状部材３６と壁部１８２との間には、第二筒状部材３６と壁部１８２とに接続され、第二筒状部材３６を支持する支持部材３８が設けられている。支持部材３８は、支持部材３７と同一の形状である。壁部１８２、支持部材３８、第二筒状部材３６、軸部３０及び第二孔部３１３に囲まれた空間５１は、貫通部３６１と繋がっている。このため、第一筒状部材１１の内部の空気は、空間５１を介して貫通部３６１と第二孔部３１３との間を流れることができる。
【００２９】
また、本実施形態では、軸部３０における第二筒状部材３５と第二筒状部材３６との間の外周面（すなわち、永久磁石１４の移動範囲における軸部３０の外周面）に、潤滑剤４５が塗布されている。潤滑剤４５は、軸部３０と永久磁石１４との摩擦抵抗を小さくする。このため、永久磁石１４の移動速度が大きくなる。よって、発電量が大きくなる。
【００３０】
以上のように、本実施形態に係る振動発電機１が構成されている。本実施形態では、例えば、永久磁石１４が軸線Ｏ方向の下側に移動する場合、図２に示すように、矢印４１の方向に空気が流れる。すなわち、永久磁石１４に押された空気は、永久磁石１４の進行方向側（下側）の貫通部３６１及び第二孔部３１３を介して第一孔部３１１に移動する。第一孔部３１１に移動した空気は、軸線Ｏ方向上側に移動し、永久磁石１４の進行方向の反対側（上側）の第二孔部３１２及び貫通部３５１を介して、永久磁石１４の進行方向の反対側（上側）に移動する。また、永久磁石１４が軸線Ｏ方向の上側に移動する場合には、矢印４１の反対方向に空気が流れる。このように、永久磁石１４の移動に伴って、空気が移動するので、永久磁石１４に対する空気抵抗を低減することができる。このため、永久磁石１４の速度の低下を抑制することができる。よって、発電量の低下を抑制することができる。
【００３１】
また、貫通部３５１，３６１は、第二筒状部材３５，３６における軸部３０と離間した部位に設けられているので、軸部３０の外周面に塗布された潤滑剤４５が貫通部３５１，３６１を塞ぐことがない。よって、潤滑剤４５が貫通部３５１，３６１を塞いで、移動する永久磁石１４に対する空気抵抗が増大することを防止できる。よって、空気抵抗が増大して永久磁石１４の速度が小さくなって発電量が低下することを防止できる。
【００３２】
また、第二筒状部材３５，３６は、軸部３０の外周面と第一筒状部材１１の内周面との間に亘って設けられている。このため、第二筒状部材３５，３６によって、永久磁石１４の移動範囲における軸部３０の外周面に塗布された潤滑剤４５が、第二孔部３１２，３１３に到達することが防止される。このため、潤滑剤４５が、第二孔部３１２，３１３を塞ぐことがない。よって、潤滑剤４５が第二孔部３１２，３１３を塞いで、移動する永久磁石１４に対する空気抵抗が増大することを防止できる。よって、空気抵抗が増大して永久磁石１４の速度が小さくなって発電量が低下することを防止できる。
【００３３】
また、移動する永久磁石１４（可動子１３）に押されて、永久磁石１４の進行方向反対側の第二孔部３１２，３１３、及び貫通部３５１，３６１から排出される空気は、永久磁石１４を進行方向に向けて押す。このため、永久磁石１４の速度が大きくなる。よって、発電量が増加する。
【００３４】
次に、図３及び図４を参照して、本発明に係る振動発電機１の第三実施形態について説明する。図３に示すように、本実施形態における軸部３０は、第一実施形態とは異なり、第一孔部３１１及び第二孔部３１２，３１３は設けられていない。本実施形態における軸部３０は、軸線Ｏ方向を延びる円柱状であり、その外周面の一部に軸線Ｏ方向に沿って延びる切欠部３１５を備えている。図４に示すように、切欠部３１５は、永久磁石１４の内周面から離れる方向に軸部３０の一部が矩形状に切り欠かれることによって形成されている。この切欠部３１５が、本実施形態における気体移動部３１である。
【００３５】
本実施形態において、永久磁石１４（可動子１３）が、第一筒状部材１１の内側を軸線Ｏ方向に沿って移動する場合、永久磁石１４によって押された空気が、切欠部３１５を通って永久磁石１４の進行方向とは反対側に移動する。例えば、永久磁石１４が下側に移動する場合、空気は、矢印４２（図３参照）の方向に移動する。また、永久磁石１４が上側に移動する場合、空気は、矢印４２の反対方向に移動する。このため、永久磁石１４に対する空気抵抗を低減することができ、永久磁石１４の速度の低下を抑制することができる。
【００３６】
なお、本発明は上記の実施形態に限定されるものではなく、種々の変更が可能である。例えば、第三実施形態における切欠部３１５を、第一、第二実施形態の軸部３０に設けてもよい。すなわち、軸部３０は、第一孔部３１１、第二孔部３１２、３１３、及び切欠部３１５をすべて備えていてもよい。
【００３７】
また、第三実施形態における気体移動部３１である切欠部３１５（図４参照）の形状は、限定されない。例えば、図５に示すように、第三実施形態の軸部３０の切欠部３１５の反対側に、切欠部３１５と同一形状の切欠部３１６を追加してもよい。また、図６に示すように、切欠部３１５及び切欠部３１６の形状を変更し、円弧状に切欠部３１５，３１６を設けてもよい。また、図７に示すように、軸部３０の外周面の４箇所に、軸部３０の中心に向かって永久磁石１４の内周面から離れるように切欠部３１７，３１８，３１９，３２０が形成されてもよい。
【００３８】
また、第一実施形態及び第三実施形態では、潤滑剤４５が設けられていないが、これに限定されない。例えば、第一実施形態及び第三実施形態の軸部３０に潤滑剤４５を塗布してもよい。
【００３９】
また、筐体１７、第一筒状部材１１、第二筒状部材３５，３６等の形状は円筒形に限定されない。例えば、それぞれの部材の形状は、楕円筒形状、四角筒等その他の多角筒形状であってもよい。同様に、軸部３０の形状も円筒形や円柱形に限定されない。また、永久磁石１４の形状も円筒形や円柱形に限定されない。
【００４０】
また、可動子１３には、１つの永久磁石１４が設けられているが、これに限定されない。例えば、可動子１３は、複数の永久磁石を組み合わせて備えていてもよい。また、可動子１３に含まれる複数の永久磁石が、それぞれの同極を対向させて並べて配置されていてもよい。この場合、同極が対向しているため、磁束密度が高くなる。よって、コイル２１を通過する際の発電量を増加させることができる。
【００４１】
また、振動発電機１は、１つのコイル２１を備えているが、これに限定されない。例えば、複数のコイルを備えていてもよい。また、第一筒状部材１１の内部の気体は空気であるが、これに限定されず、空気以外の気体であってもよい。
【００４２】
また、第二孔部３１２，３１３は、軸部３０の両端部に設けられているが、これに限定されない。例えば、軸線Ｏ方向において、コイル２１と壁部１８１との間の中間位置に第二孔部３１２が設けられてもよい。また、軸線Ｏ方向において、コイル２１と壁部１８２との間の中間位置に第二孔部３１３が設けられてもよい。
【００４３】
また、第二筒状部材３５，３６（図２参照）は、軸線Ｏ方向において、一方側の第二孔部３１２、３１３と反対側の第二孔部３１２，３１３との間の軸部３０の周囲に設けられていれば、特に位置は限定されない。例えば、軸線Ｏ方向において、コイル２１と第二孔部３１２との間の中間位置に第二筒状部材３５が設けられていてもよい。また、軸線Ｏ方向において、コイル２１と第二孔部３１３との間の中間位置に第二筒状部材３６が設けられていてもよい。
【００４４】
また、第二孔部３１２，３１３は、それぞれ２つ設けられているが、これに限定されない。例えば、第二孔部３１２，３１３の数は１つでもよいし、３つ以上でもよい。同様に、貫通部３５１，３６１の数も限定されない。
【００４５】
また、貫通部３５１、３６１（図２参照）は、それぞれ第二筒状部材３５，３６における外周面と内周面との間の中央部に設けられた孔であるが、第二筒状部材３５，３６における軸部３０と離間した部位が軸線Ｏ方向に沿って貫通する形状であれば、特に形状は限定されない。例えば、貫通部３５１，３６１は、第二筒状部材３５，３６の外周面の一部が、軸線Ｏ方向に亘って径方向中心に向かって切欠かれることによって、空間５０，５１と繋がるように形成されてもよい。
【符号の説明】
【００４６】
１    振動発電機
１１    第一筒状部材
１４    永久磁石
２１    コイル
３０    軸部
３１    気体移動部
３５，３６    第二筒状部材
１４１    孔部
３１１    第一孔部
３１２，３１３    第二孔部
３１５，３１６，３１７，３１８，３１９，３２０    切欠部
３５１，３６１    貫通部
【図１】
2013051859.tif 000003
【図２】
2013051859.tif 000004
【図３】
2013051859.tif 000005
【図４】
2013051859.tif 000006
【図５】
2013051859.tif 000007
【図６】
2013051859.tif 000008
【図７】
2013051859.tif 000009